(57)【要約】【課題】  リモコン、本体いずれの操作ボタンによる入力操作を行う場合でも、適度な大きさでメニュー項目等の文字図形映像を表示する。【解決手段】  制御マイコン１９から操作指示入力があった場合、その操作がリモコン１７の操作によるものか、本体操作ボタン２０によるものかを判断し、リモコン１７の操作によるものであるとき、文字図形によるメニュー等を画面上ほぼ全体に広がる標準サイズで表示し、本体操作ボタン２０によるものであるとき、文字図形によるメニュー等を画面上の本体操作ボタン２０に近い位置に縮小して表示するか、あるいは図形を用いて表示していた部分を文字に変換する等、さらに縮小・簡素化して表示する。【選択図】      図１
2009016953.tif 000002
【特許請求の範囲】
【請求項１】
操作に関係する情報を文字図形映像にして表示画面に表示し、その表示内容に沿ってリモートコントローラの操作ボタンによる操作と本体装備の操作ボタンによる操作とを選択的に使用可能な映像表示装置において、
操作入力時に前記リモートコントローラの操作ボタンによる操作か、前記本体装備の操作ボタンによる操作かを判断する判断手段と、
前記判断手段の判断結果に基づいて、前記操作に関係する情報を前記リモートコントローラで操作されたときと前記本体装備の操作ボタンで操作されたときとで大きさを変えて表示させる表示制御手段と
を具備することを特徴とする映像表示装置。
【請求項２】
前記表示制御手段は、前記判断手段で前記操作入力が前記リモートコントローラの操作ボタンによるものであると判断されたとき、前記操作に関係する情報を標準サイズで表示させ、前記操作入力が前記本体装備の操作ボタンによるものであると判断されたとき、前記操作に関係する情報を前記標準サイズより小さいサイズで表示させる表示制御手段を備えることを特徴とする請求項１記載の映像表示装置。
【請求項３】
前記表示制御手段は、前記操作に関する情報を画面上の予め指定された位置に表示させることを特徴とする請求項１記載の映像表示装置。
【請求項４】
操作に関係する情報を文字図形映像にして表示画面に表示し、その表示内容に沿ってリモートコントローラの操作ボタンによる操作と本体装備の操作ボタンによる操作とを選択的に使用可能な映像表示装置に用いられ、
操作入力時に前記リモートコントローラの操作ボタンによる操作か、前記本体装備の操作ボタンによる操作かを判断し、
前記操作に関係する情報を前記リモートコントローラで操作されたときと前記本体装備の操作ボタンで操作されたときとで大きさを変えて表示させることを特徴とする映像表示方法。
【発明の詳細な説明】
【技術分野】
【０００１】
本発明は、各種メニュー項目に対する入力操作を行う場合に、リモートコントローラ（以下、リモコンと記す）の操作ボタンによる操作と本体装備の操作ボタンによる操作とを選択的に使用可能な映像表示装置および映像表示方法に関する。
【背景技術】
【０００２】
従来の映像表示装置にあっては、リモコン、本体装備それぞれの操作ボタンを選択的に操作することによって各種メニュー項目について入力指示することができる。このとき、選択項目のメニューを示す文字図形映像を画面上に表示し、ユーザが項目毎に選択操作することによって多種多様の項目を簡単に設定できるようになされている。
【０００３】
ところで、上記メニュー項目をメニュー形式で表示する場合等、文字図形映像を画面上に表示する場合、従来では画面全体にそのメニューを大きく表示し、通常は、画面からある程度離れた位置からリモコンで選択操作するようにしている。しかしながら、近年、急速に普及されつつある大型ワイド画面の映像表示装置では、メニューが画面全体に表示されると、リモコン操作の場合は問題にならないが、本体側の操作ボタンで操作するためにユーザが表示画面に近づいた場合には、そのメニューが大きすぎて、かえって見づらくなっていた。
【０００４】
尚、操作メニュー、番組表等のＧＵＩ（グラフィカル・ユーザ・インターフェース）を見やすくするための技術として、入力装置と表示部との距離を測定部によって測定し、その測定距離に応じて大きさの異なるＧＵＩを表示する番組表表示装置が既に開示されている（特許文献１参照）。
【特許文献１】特開２００６−３００９８３号公報
【発明の開示】
【発明が解決しようとする課題】
【０００５】
以上述べたように、映像表示装置では、常にメニュー等の文字図形映像を画面全体に表示しているため、本体装備の操作ボタンによる入力操作を行うためにユーザが画面に近づいている場合には、文字図形映像が大きすぎて見づらくなっていた。
【０００６】
本発明は上記の課題を解決すべく、リモコン、本体いずれの操作ボタンによる入力操作を行う場合でも、適度な大きさでメニュー項目等の文字図形映像を表示することができる映像表示装置とその映像表示方法を提供することを目的とする。
【課題を解決するための手段】
【０００７】
上記問題を解決するために、本発明に係る映像表示装置及びその映像表示方法は、操作に関係する情報を文字図形映像にして表示画面に表示し、その表示内容に沿ってリモートコントローラの操作ボタンによる操作と本体装備の操作ボタンによる操作とを選択的に使用可能な映像表示装置において、操作入力時に前記リモートコントローラの操作ボタンによる操作か、前記本体装備の操作ボタンによる操作かを判断し、前記操作に関係する情報を前記リモートコントローラで操作されたときと前記本体装備の操作ボタンで操作されたときとで大きさを変えて表示させるようにしたことを特徴とする。
【０００８】
すなわち、本発明では、操作入力時にリモコンによる操作か本体側操作ボタンによる操作かを自動的に判断し、その判断結果がリモコン操作であるときと本体側操作ボタンの操作であるときとで、操作に関する情報を大きさを変えて表示する。
【発明の効果】
【０００９】
したがって、本発明によれば、リモコン、本体いずれの操作ボタンによる入力操作を行う場合でも、適度な大きさでメニュー項目等の文字図形映像を表示することができる映像表示装置とその映像表示方法を提供することができる。
【発明を実施するための最良の形態】
【００１０】
以下、本発明の実施の形態について図面を参照して詳細に説明する。
【００１１】
図１は本発明に係る映像表示装置の一実施形態として、テレビジョン受像機の構成を示すブロック図である。図１において、アンテナ１で受信されたテレビジョン放送帯の信号はチューナー２に入力される。このチューナー２では、受信信号からユーザ指定の放送チャンネルの周波数信号を取り出して復調回路３に与える。この復調回路３では、入力信号から放送ＴＳ（トランスポート・ストリーム）パケットを順次復調するもので、この放送ＴＳパケットは音声処理回路４、映像処理回路９に供給される。
【００１２】
上記音声処理回路４は、復調された放送ＴＳパケットから音声パケット内の音声信号を復号するもので、復号された音声信号は音声信号切替器６に供給される。一方、効果音処理回路５は、操作音などの効果音の音声信号を必要に応じて発生するもので、この音声信号は音声信号切替器６に供給される。この音声信号切替器６は、音声処理回路４からの音声信号と効果音処理回路５からの音声信号とを選択的にもしくは合成して出力するもので、その音声出力信号は音声増幅回路７で増幅された後、スピーカー８から拡声出力される。
【００１３】
また、上記映像処理回路９は、復調された放送ＴＳパケットから映像パケット内の映像信号を復号するもので、復号された映像信号は映像合成回路１１に供給される。一方、グラフィック処理回路１０は、字幕、データ放送画面、メニューなどの設定画面、チャンネル表示など、文字図形のシンボルによる映像信号を必要に応じて発生するもので、この映像信号は映像合成回路１１に供給される。この映像合成回路１１は、映像処理回路９からの映像信号とグラフィック処理回路１０からの映像信号とを合成もしくはいずれかを選択して出力するもので、この合成回路１１から出力される映像信号は映像増幅回路１２で増幅された後、ＣＲＴや液晶表示装置、プラズマ表示装置などの表示装置１３に送られて画面表示される。
【００１４】
上記復調出力の各処理回路４〜７，９〜１２に対する処理内容は、ＣＰＵ１４からの指令によって決定される。ここで、ＲＡＭ１５はＣＰＵ１４の作業領域となる一時記憶用メモリ、ＲＯＭ１６は、ＣＰＵ１４で実行されるプログラムやメニューなどの図形情報などを記憶するメモリである。ＣＰＵ１４は、ＲＡＭ１５、ＲＯＭ１６を使用して受信装置全体の制御を行う。
【００１５】
リモコン１７は上記受信装置に対する遠隔操作のための装置で、機能別操作ボタンの選択操作時において、操作ボタンに対応する指示信号を赤外線などでリモコン受信部１８に送る。リモコン受信部１８は、赤外線などによって送られてくる指示信号を受信して制御マイコン（マイクロコンピュータの略）１９に与える。制御マイコン１９は、リモコン指示信号から操作ボタンの認識を行い、ＣＰＵ１４にその情報を与える。また、制御マイコン１９は、受信装置本体に装備される機能別操作ボタン２０からの選択操作による指示信号を受け取り、その指示信号からどのボタンが操作されたかについても判定を行い、ＣＰＵ１４にその情報を伝える。ＣＰＵ１４はリモコン操作、本体ボタン操作それぞれに応じて、上記の各処理回路に対する制御を行う。
【００１６】
上記構成によるテレビジョン受像機において、以下、ＣＰＵ１４の制御処理による本実施形態の動作を図２に示すフローチャートを参照して説明する。
【００１７】
まず、制御マイコン１９からの操作指示入力の有無を判断し（ステップＳ１）、操作指示入力があった場合、その操作が本体操作ボタン２０によるものか否かを判断する（ステップＳ２）。この判断において、操作指示入力が本体操作ボタン２０によるものではない、すなわちリモコン１７の操作ボタンによるものであるとき、例えば図３に示すように、文字図形によるメニューを画面上ほぼ全体に広がる標準サイズで表示する（ステップＳ３）。ステップＳ２の判断において、操作指示入力が本体操作ボタン２０によるものであるとき、例えば図４に示すように、文字図形によるメニューを画面上の本体操作ボタン２０に近い位置に縮小して表示するか、あるいは図５に示すように、図形を用いて表示していた部分をvideo,aduioなどのように文字に変換する等、さらに縮小・簡素化して表示する（ステップＳ４）。ステップＳ３，Ｓ４の処理後、操作が終了したか判断し（ステップＳ５）、操作終了でなければステップＳ１に戻って上記の処理を繰り返し、操作終了ならば、一連の処理を終了させる。
【００１８】
以上のように、上記構成による映像表示装置では、操作入力時にリモコン１７による操作か本体側操作ボタン２０による操作かを自動的に判断し、その判断結果がリモコン１７の操作であるときは、操作関係情報を標準サイズで表示させることとし、上記判断結果が本体側の操作ボタン２０の操作であるときは、ユーザが本体側操作ボタンを操作するために本体の近くにいるものとして、ユーザが見やすいように操作関係情報を標準サイズより小さいサイズで、本体操作ボタン２０に近い位置に表示するようにしている。したがって、リモコン１７の操作ボタン、本体操作ボタン２０のいずれの入力操作であっても、ユーザにとって適度な大きさでメニュー項目等の文字図形映像を表示することができるので、ユーザにとって非常に使いやすいものとなる。
【００１９】
尚、上記実施形態では、特に本体操作ボタン２０の操作時における縮小・簡略表示の位置を特定していないが、予め決められた位置、あるいはユーザ指定の位置に表示するようにすると、ユーザにとって見やすい位置に表示可能であり、いっそう効果的である。
【００２０】
また、図５の例では、縮小表示の際に、図形を用いて表示していた部分をvideo,aduioなどのように文字に変換するようにしたが、逆に文字を図形や記号に変換して縮小表示するようにしてもよい。
【００２１】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２２】
【図１】本発明に係る映像表示装置の一実施形態として、テレビジョン受像機の構成を示すブロック図。
【図２】図１に示すテレビジョン受像機の操作系の制御処理を示すフローチャート。
【図３】図１に示すテレビジョン受像機において、リモコンにより操作入力があった場合の標準サイズによるメニュー表示例を示す図。
【図４】図１に示すテレビジョン受像機において、本体側の操作ボタンにより操作入力があった場合の縮小によるメニュー表示例を示す図。
【図５】図１に示すテレビジョン受像機において、本題側の操作ボタンにより操作入力があった場合の縮小・簡略化によるメニュー表示例を示す図。
【符号の説明】
【００２３】
１…アンテナ、２…チューナー、３…復調回路、４…音声処理回路、５…効果音処理回路、６…音声信号切替器、７…音声増幅回路、８…スピーカー、９…映像処理回路、１０…グラフィック処理回路、１１…映像合成回路、１２…映像増幅回路、１３…表示装置、１４…ＣＰＵ、１５…ＲＡＭ、１６…ＲＯＭ、１７…リモコン、１８…リモコン受信部、１９…制御マイコン、２０…機能別操作ボタン。
【図１】
2009016953.tif 000003
【図２】
2009016953.tif 000004
【図３】
2009016953.tif 000005
【図４】
2009016953.tif 000006
【図５】
2009016953.tif 000007